(57)【特許請求の範囲】
【請求項１】
受皿部の周縁部近傍にその周縁部に沿う立上がり壁を備え、該立上がり壁によって露出外面を囲繞してなるドレイン本体の、前記露出外面を覆うものであって、
中央の被覆部が立上がり壁の外形形状と略等しい大きさの形状となるように設定され、中央の被覆部の周囲で、切込み線によって相互に分離された複数の貼着舌片が外周縁に沿って形成されるとともに、少なくとも該貼着舌片の裏面に剥離性粘着層が形成されてなる可撓性合成樹脂シートからなり、
前記立上がり壁の外壁面及び該立上がり壁の外側の受皿部の周縁部に、前記貼着舌片を剥離性粘着層を介して剥離可能に貼着することにより、前記可撓性合成樹脂シートによって前記露出外面を覆うようにしたことを特徴とするドレイン本体の養生カバー。
【発明の詳細な説明】
【０００１】
【発明の属する技術分野】
本発明は、ドイレン本体の周囲に打設するコンクリートが、該ドイレン本体内に入り込まないようにするための養生カバーに関する。
【０００２】
【従来の技術】
コーナードレイン，ルーフドレイン等の施工時においては、図９に示すように、ドイレン本体ａを固定装置ｂによって型枠ｃに固定した状態で、該ドイレン本体ａの周囲にコンクリートが打設されるが、この時、施工後にコンクリート面に露出することとなる受皿部ｄの露出外面ｅを養生カバーｆによって覆うことにより、ドイレン本体ａ内にコンクリートが入らないようにしている。
【０００３】
ところで、受皿部ｄに、その露出外面ｅを囲繞する立上がり壁ｇを備えてなるドレイン本体ａに適用される従来の養生カバーｆは、立上がり壁ｇの内周形状に一致するように成形された発泡スチロールの成形体が用いられており、この発泡スチロール製の養生カバーｆを立上がり壁ｇ内に嵌め込むことによってその養生を行っている。
【０００４】
【発明が解決しようとする課題】
しかして、このように、立上がり壁ｇ内に嵌め込んで使用する従来の養生カバーｆにあっては、立上がり壁ｇの端面ｇ’が被覆されないため、該端面ｇ’にコンクリートが付着し易いという問題点があり、また、発泡スチロールの成形誤差により、立上がり壁ｇの内壁面との間に隙間が生じ易く、該隙間からコンクリート水が入って受皿部ｄの露出外面ｅが汚れるという問題点がある。また、このような発泡スチロール製の養生カバーｆは、厚みがあるため、捨てる際に嵩張って取扱い性が悪く、さらに生産コストも高い等の問題点がある。
【０００５】
本発明は、かかる従来の問題点を解消し得るドレイン本体の養生カバーを提供することを目的とするのもである。
【０００６】
【課題を解決するための手段】
本発明は、受皿部の周縁部近傍にその周縁部に沿う立上がり壁を備え、該立上がり壁によって露出外面を囲繞してなるドレイン本体の、前記露出外面を覆うものであって、中央の被覆部が立上がり壁の外形形状と略等しい大きさの形状となるように設定され、中央の被覆部の周囲で、切込み線によって相互に分離された複数の貼着舌片を外周縁に沿って形成するとともに、少なくとも該貼着舌片の裏面に剥離性粘着層を形成した可撓性合成樹脂シートからなり、前記立上がり壁の外壁面及び該立上がり壁の外側の受皿部の周縁部に、前記貼着舌片を剥離性粘着層を介して剥離可能に貼着することにより、前記可撓性合成樹脂シートによって前記露出外面を覆うようにしたことを特徴とするドレイン本体の養生カバーである。
【０００７】
前記可撓性合成樹脂シートとしては、耐水性及び柔軟性に優れ、かつ、切込み加工が容易で、安価なものが望ましく、これらの特性を備えたポリエチレンシートが好適なものとして提案され得る。
【０００８】
かかる構成にあって、養生カバーをドレイン本体の露出外面にあてがった状態で、該養生カバーの外周縁に沿って形成した複数の貼着舌片を、裏面の剥離性粘着層を介して、ドレイン本体の立上がり壁の外壁面や該立上がり壁の外側の受皿部の周縁部に貼着することにより、養生カバーの外周縁が、曲部や異方向あるいは周方向に延在する被貼着面に良く馴染み、該外周縁を確実に貼着することができる。そして、このように複数の貼着舌片を貼着することにより、立上がり壁で囲繞されたドレイン本体の露出外面を養生カバーによって覆うことができるとともに、立上がり壁の端面も覆うことができ、養生することができる。
【０００９】
また、養生カバーがシート状であるため、捨てる際に嵩張らず、取扱い性が良いものとなり、さらに合成樹脂製であるので生産コストを低減させることができる。
【００１０】
【発明の実施の形態】
本発明の第１の実施例を、図１〜図６について説明する。
【００１１】
１は、床面と壁面とが交叉する建物のコーナーに設置されるコーナードレインのドレイン本体であって、該ドレイン本体１は、後縁に垂直縁部２’を備えた断面略Ｌ形の受皿部２と、該受皿部２から後方に連成された排水管部３とからなる。前記受皿部２の前面側には、その周縁部４の近傍位置に該周縁部４に沿ってモルタル止め用の立上がり壁５が突成されており、施工後にモルタル等の仕上面に露出する露出外面６が該立上がり壁５によって囲繞されている。
【００１２】
前記ドレイン本体１は、コンクリートの打設前に固定装置７によってコンクリート型枠８に固定される。該固定装置７は、図１に示すように、縦方向に配設されたコンクリート型枠８に固定される位置決め板９と、該位置決め板９に一端が嵌合され、他端が前記ドレイン本体１の排水管部３に外嵌されて、ドレイン本体１を前記コンクリート型枠８に所要間隔で保持する筒状スペーサ１０とを備え、さらに、前記ドレイン本体１の垂直縁部２’の前面で排水管部３の開口部３’を跨いで差し渡される挟圧板１１をコンクリート型枠８側に圧接して、前記筒状スペーサ１０とで垂直縁部２’及び排水管部３を挟持する挟持手段１２とを備えている。該挟持手段１２は、前記位置決め板９の中央部に基端が螺着された螺子杆１２ａと、前記挟圧板１１に挿通して前面側に突出させた螺子杆１２ａの突出端に螺合される蝶ナット１２ｂとからなり、該蝶ナット１２ｂを緊締することにより、挟圧板１１をコンクリート型枠８側に圧接し得るようになっている。
【００１３】
また、ドレイン本体１の垂直縁部２’の周囲には前記コンクリート型枠８と対をなすコンクリート型枠８’が配設されるとともに、ドレイン本体１の受皿部２の下方にもコンクリート型枠（図示省略）が水平状に配設され、該コンクリート型枠の上部、及び前記コンクリート型枠８，８’間をコンクリートの充填空隙Ｓとしている。
【００１４】
次に、本発明の要部である養生カバー１３について説明する。該養生カバー１３は、図２に示すように、四隅が切除された略矩形状の可撓性合成樹脂シート１４からなり、該シート１４の外周縁を所定間隔で切込むことにより、その切込み線１５によって相互に分離された複数の貼着舌片１６が可撓性合成樹脂シート１４の外周縁に沿って形成されている。ここで、各貼着舌片１６の長さは、前記ドレイン本体１の立上がり壁５の外壁面の縦幅と、該立上がり壁５の外側の受皿部２の周縁部４の幅とを足した長さと略等しく、また、各貼着舌片１６で囲まれた中央の被覆部１７が立上がり壁５の外形形状と略等しい大きさの矩形状となるように設定されている。
【００１５】
この可撓性合成樹脂シート１４には、図３に示すように、その裏面全面もしくは、少なくとも各貼着舌片１６の裏面に剥離性粘着層１８が形成されており、該剥離性粘着層１８によって被貼着面に貼着し得るようになっている。また、この剥離性粘着層１８には、剥離紙１９が接合され、貼着時までその粘着面を保護するようにしている。
【００１６】
尚、前記可撓性合成樹脂シート１４としては、耐水性及び柔軟性に優れ、かつ、切込み加工が容易なものが望ましく、ポリエチレンシート，塩化ビニルシートまたは前記特性を備えたその他の合成樹脂シートが挙げられるが、中でも安価なポリエチレンシートが好適に使用され得る。
【００１７】
かかる構成にあって、図１に示すように、ドレイン本体１を固定装置７によってコンクリート型枠８に固定した状態において、養生カバー１３を受皿部２にあてがってその外周縁に形成された複数の貼着舌片１６を、裏面の剥離性粘着層１８を介して、ドレイン本体１の立上がり壁５の外壁面や、該立上がり壁５の外側の受皿部２の周縁部４、あるいは前記立上がり壁５の外壁面から受皿部２の周縁部４に亘って貼着することにより、中央の被覆部１７によって立上がり壁５で囲繞された露出外面６を覆うことができる。この時、養生カバー１３が可撓性合成樹脂シート１４からなり、かつ、その外周縁に形成された複数の貼着舌片１６が切込み線１５によって相互に分離されていることにより、曲部や異方向に延在する被貼着面に良く馴染み、養生カバー１３の外周縁を確実に貼着することができる。このように各貼着舌片１６を貼着することにより、養生カバー１３の被覆部１７によって、ドレイン本体１の露出外面６を覆うことができるとともに、立上がり壁５の端面５’も覆うことができ、養生することができる。
【００１８】
このように、ドレイン本体１を養生カバー１３によって養生した後、ドレイン本体１の周囲の充填空隙Ｓにコンクリートが打設されるが、ドレイン本体１が養生カバー１３で養生されていることにより、打設されるコンクリートがドレイン本体１の露出外面６内に流れ込んだり、立上がり壁５の端面５’に付着することがない。そして、図６に示すように、打設されたコンクリートｐが固結したら、固定装置７を除去し、同時に養生カバー１３も除去する。この時、養生カバー１３の貼着舌片１６が剥離性粘着層１８の粘着力によって剥離可能に貼着されていることにより、被貼着面からの剥離操作を容易に行うことができる。また、除去した養生カバー１３を捨てる際、該養生カバー１３がシート状であるため嵩張ることがない。そして、このように養生カバー１３を除去した後、立上がり壁５の周囲に防水モルタル２０等を塗設して仕上施工され、その仕上面にドレイン本体１の露出外面６が露出することとなる。
【００１９】
図７，図８は、本発明の第２の実施例を示し、この実施例は、床面に設置されるルーフドレインに、本発明にかかる養生カバー１３を適用したものである。このルーフドレインのドレイン本体１は、円形の受皿部２と該受皿部２から下方に延成した排水管部３とからなる。受皿部２の上面には、その周縁部４の近傍位置に該周縁部４に沿ってモルタル止め用の立上がり壁５が突成されており、施工後にモルタル等の仕上面に露出する露出外面６が該立上がり壁５によって囲繞されている。
【００２０】
一方、養生カバー１３は、受皿部２に対応する大きさの円形の可撓性合成樹脂シート１４からなり、該シート１４の外周縁には、第１実施例と同様に切込み線１５によって相互に分離された複数の貼着舌片１６が周方向に沿って形成されている。各貼着舌片１６の長さは、ドレイン本体１の立上がり壁５の外壁面の縦幅と、該立上がり壁５の外側の受皿部２の周縁部４の幅とを足した長さと略等しく、また、各貼着舌片１６で囲まれた中央の被覆部１７が立上がり壁５の外形形状と略等しい大きさの円形状となるように設定されている。また、この可撓性合成樹脂シート１４には、その裏面全面もしくは、少なくとも各貼着舌片１６の裏面に剥離性粘着層１８（図３参照）が形成されており、該剥離性粘着層１８によって被貼着面に貼着し得るようになっている。この剥離性粘着層１８には、剥離紙１９が接合され、貼着時までその粘着面を保護するようにしている。
【００２１】
かかる構成にあって、養生カバー１３を受皿部２にあてがってその外周縁に形成された各貼着舌片１６を、裏面の剥離性粘着層１８を介して、ドレイン本体１の立上がり壁５の外壁面や該立上がり壁５の外側の受皿部２の周縁部４に貼着することにより、中央の被覆部１７によって立上がり壁５で囲繞された露出外面６を覆うことができる。この時、養生カバー１３が可撓性合成樹脂シート１４からなり、かつ、その外周縁に形成された複数の貼着舌片１６が切込み線１５によって相互に分離されていることにより、曲部や周方向に延在する被貼着面に良く馴染み、養生カバー１３の外周縁を確実に貼着することができる。
【００２２】
そして、このように各貼着舌片１６を貼着することにより、養生カバー１３の被覆部１７によって、ドレイン本体１の露出外面６を覆うことができるとともに、立上がり壁５の端面５’も覆うことができ、養生することができる。これにより、ドレイン本体１の周囲へのコンクリートの打設時に、該コンクリートがドレイン本体１の露出外面６内に流れ込んだり、立上がり壁５の端面５’に付着することを防止することができる。
【００２３】
尚、上記実施例では、円形に形成されたルーフドレインのドレイン本体１について説明したが、角形のルーフドレインに対しても、可撓性合成樹脂シート１４を第１実施例のもののように略矩形状に形成することにより、本発明にかかる養生カバー１３を適用することが可能である。
【００２４】
【発明の効果】
本発明は、上述のように、切込み線１５によって相互に分離された複数の貼着舌片１６を外周縁に沿って形成するとともに、少なくとも該貼着舌片１６の裏面に剥離性粘着層１８を形成した可撓性合成樹脂シート１４によって養生カバー１３を構成し、ドレイン本体１の立上がり壁５の外壁面や、該立上がり壁５の外側の受皿部２の周縁部４、あるいは立上がり壁５の外壁面から受皿部２の周縁部４に亘って、複数の貼着舌片１６を剥離性粘着層１８を介して剥離可能に貼着するようにしたから、養生カバー１３の外周縁が、曲部や異方向あるいは周方向に延在する被貼着面に良く馴染み、該外周縁を確実に貼着することができる。そして、このように複数の貼着舌片１６を貼着することにより、立上がり壁５で囲繞されたドレイン本体１の露出外面６を養生カバー１３によって覆うことができるとともに、立上がり壁５の端面５’も覆うことができ、養生することができる。
【００２５】
また、養生カバー１３がシート状であるため、捨てる際に嵩張らず、取扱い性が良いものとなり、さらに合成樹脂製であるので生産コストを低減させることができる等の優れた効果がある。
【図面の簡単な説明】
【図１】第１実施例の養生カバーを貼着したコーナードレインの施工状態を示す側断面図である。
【図２】同上の養生カバーの平面図である。
【図３】同上の養生カバーの部分拡大側断面図である。
【図４】同上の養生カバーを貼着したコーナードレインの平面図である。
【図５】同上の養生カバーを貼着したコーナードレインの側面図である。
【図６】コーナードレインの施工後の状態を示す側断面図である。
【図７】第２実施例の養生カバーを貼着したルーフドレインの側断面図である。
【図８】同上の養生カバーを貼着したルーフドレインの平面図である。
【図９】従来構成の養生カバーを嵌着したコーナードレインの施工状態を示す側断面図である。
【符号の説明】
１  ドレイン本体
２  受皿部
４  周縁部
５  立上がり壁
６  露出外面
１３  養生カバー
１４  可撓性合成樹脂シート
１５  切込み線
１６  貼着舌片
１８  剥離性粘着層
【図１】
0003908363.tif 000002
【図２】
0003908363.tif 000003
【図３】
0003908363.tif 000004
【図４】
0003908363.tif 000005
【図５】
0003908363.tif 000006
【図６】
0003908363.tif 000007
【図７】
0003908363.tif 000008
【図８】
0003908363.tif 000009
【図９】
0003908363.tif 000010